(57)【要約】【課題】自分がどこを表示しているのかを容易に認識できる超音波診断装置を提供すること。【解決手段】生体に対して超音波を送受波し、得られた受信信号を処理して超音波画像としてモニタに表示する超音波診断装置であって、送受波により得られた受信信号をＴＶ走査へと座標変換する座標変換手段と、モニタに表示される超音波画像よりも広い領域を移動表示可能なスクロール表示手段と、所定の入力操作に応じて少なくとも２種類以上のスクロール移動可能領域を選択可能なスクロール移動領域選択手段と、を具備する。【選択図】        図１
2004148130.tif 000002
【特許請求の範囲】
【請求項１】
生体に対して超音波を送受波し、得られた受信信号を処理して超音波画像としてモニタに表示する超音波診断装置であって、
送受波により得られた受信信号をＴＶ走査へと座標変換する座標変換手段と、
モニタに表示される超音波画像よりも広い領域を移動表示可能なスクロール表示手段と、
所定の入力操作に応じて少なくとも２種類以上のスクロール移動可能領域を選択可能なスクロール移動領域選択手段と、
を具備したことを特徴とする超音波診断装置。
【請求項２】
少なくとも１つ以上のスクロール移動可能領域を術者が設定可能なスクロール移動領域設定手段をさらに具備することを特徴とする請求項１記載の超音波診断装置。
【発明の詳細な説明】
【技術分野】
【０００１】
本発明は超音波診断装置に関し、特に、モニタに表示されている画像よりも広い領域を移動表示することが可能なスクロール表示手段を設けた超音波診断装置に関する。
【背景技術】
【０００２】
超音波診断装置は、超音波内視鏡もしくは超音波探触子を使用して生体へ超音波を送受波し、得られた超音波エコー信号（受信信号）に対して様々な信号処理及び画像処理を行うことにより、生体の断層像を生成して表示する装置である。
【０００３】
超音波内視鏡や超音波探触子を使用した走査方法には、先端に単一または複数の振動子を設け、機械的に回転もしくは移動させながら走査を行う機械式走査と、先端に複数の振動子を設け、電気的に切り替えながら超音波の送受波を行う電気式走査がある。
【０００４】
超音波診断は、前記超音波内視鏡や超音波探触子を管腔内に挿入し、音響媒体として脱気水を管腔内に充満することで音響的な整合をとることにより生体内断層像を得ており、これによって病変部の深達度診断を行っている。
【０００５】
超音波診断装置、特にラジアル走査を行う超音波診断装置の一般的な表示方法は、ラジアル走査回転の中心を表示画像の中心付近に表示する全円表示、また、ラジアル走査回転の中心から上下左右方向の表示を行う上下左右半円表示がある。
【０００６】
上部消化管分野の医師は、まず全円表示にて管腔内の病変位置方向を特定し、画像回転機能により、病変部位をラジアル走査の中心よりも下方に位置づけ、下半円表示にして詳細観察をしている。
【０００７】
また、最近では、観察したい部位を表示画像の中心に表示したいとの要望から、装置にスクロール機能を搭載し、表示されている画像よりも広い領域を任意に移動表示することが可能な装置が提供されている。
【０００８】
更に、管腔の表面を抽出し、超音波画像と合成して三次元表面構築画像の表示を行い、スクロール機能により、任意の表面部位や任意の断面の超音波画像を表示画像の中心に抽出することができるような装置も提供されており、より分かり易く、診断効率の向上した装置となっている。
【発明の開示】
【発明が解決しようとする課題】
【０００９】
リニア走査やセクタ走査式の超音波診断装置は、振動子部分が必ず上方もしくは下方に表示されるため、自分が今現在どこを表示しているかを認識することが容易である。
【００１０】
しかし、ラジアル走査の場合、スクロール機能により、任意の位置の画像が描出可能となるが、ラジアル走査の回転中心が表示されないような深部を観察した場合には、生体内減衰により深部の信号強度が小さいために、自分が今どこを観察しているかが分かりずらくなるという煩わしさがあった。
【００１１】
また、スクロール時にトラックボールの過回転や、自分の意図していない誤動作や回転により、前記生体深部の画像を表示した場合も、同様に自分が今どこを表示しているかがわからなくなる煩わしさが生じていた。
【００１２】
更に、図面の端に、全体画像等を小さく表示し、現在スクロールで表示している領域を枠等で囲んで表示する装置もあるが、全体画像を端に表示しなければならないために、実際の超音波画像が小さくなり、術者の所望する病変部全体を表示できなかったり、病変部全体を表示するために画像全体を小さくしようとすると診断効率が悪くなり、術者にストレスが溜まるといった不便さが生じていた。
【００１３】
本発明はこのような課題に着目してなされたものであり、その第１の目的とするところは、スクロール時に、自分がどこを表示しているのかが分からなくなったときに、移動領域の切替えにより自分がどこを表示しているのかを容易に認識できる超音波診断装置を提供することにある。
【００１４】
また、第２の目的は、周波数等の異なるプローブに応じて、または術者の好みに応じてスクロール移動領域を決めることができる使い勝手の良い超音波診断装置を提供することにある。
【課題を解決するための手段】
【００１５】
上記の目的を達成するために、第１の発明は、生体に対して超音波を送受波し、得られた受信信号を処理して超音波画像としてモニタに表示する超音波診断装置であって、送受波により得られた受信信号をＴＶ走査へと座標変換する座標変換手段と、モニタに表示される超音波画像よりも広い領域を移動表示可能なスクロール表示手段と、所定の入力操作に応じて少なくとも２種類以上のスクロール移動可能領域を選択可能なスクロール移動領域選択手段と、を具備する。
【００１６】
また、第２の発明は、第１の発明に係る超音波診断装置において、少なくとも１つ以上のスクロール移動可能領域を術者が設定可能なスクロール移動領域設定手段をさらに具備する。
【発明の効果】
【００１７】
請求項１に記載の発明によれば、スクロール時に、自分がどこを表示しているのかが分からなくなったときに、移動領域の切替えにより自分がどこを表示しているのかを容易に認識できる超音波診断装置を提供することができる。
【００１８】
また、請求項２に記載の発明によれば、請求項１に記載の発明の効果に加えて、周波数等の異なるプローブに応じて、または術者の好みに応じてスクロール移動領域を決めることができる。
【発明を実施するための最良の形態】
【００１９】
以下、図面を参照して本発明の実施形態を詳細に説明する。
【００２０】
（第１実施形態）
図１は本発明の第１実施形態に係る超音波診断装置の概略構成図である。同図に示す超音波診断装置１には、超音波の送受信を行う超音波探触子２を接続し駆動する駆動部３と、術者の入力に応じて超音波診断装置１の機能を切り替える操作卓４と、超音波の送受信の開始（フリーズ解除動作）もしくは停止（フリーズ動作）の切替え、そしてプリンタ出力を指示するためのスイッチを持つフットスイッチ５とが接続される。また、超音波診断装置１から出力されるＲＧＢ信号、Ｙ／Ｃ信号、複合映像信号は、それぞれ図示せぬモニタやプリンタ、ＶＴＲ等の映像機器へと入力される。
【００２１】
超音波診断装置１は、超音波の送信パルスを生成する送信回路６と、超音波を生体へ送波し、反射された超音波を受波し、その信号を増幅する増幅器、送受波した超音波の周波数に応じて切り替わるＢＰＦ（バンドパスフィルタ）、対数圧縮、表示レンジの切替えに応じて切り替わるＬＰＦ（ローパスフィルタ）等で構成されるアナログ信号処理回路７と、入力されたアナログ信号をデジタル信号へと変換するＡ／Ｄ変換器８と、デジタル化された超音波信号を記憶する超音波音線データ格納メモリ９と、術部の深さに応じたゲイン、つまりＳＴＣ処理を行うＳＴＣ調整用メモリ１０と、ゲインやコントラストの調整を行うゲイン・コントラスト調整用メモリ１１と、ＣＰＵを含み装置全体の制御を行うとともに、図示せぬ内部の各回路系の制御を行う制御回路１２と、画面上に表示する文字やマーク、計測時に表示する図形等のグラフィック関係の制御及び発生を行うグラフィック回路１３と、超音波走査をＴＶ走査である直交座標へ座標変換するための座標変換回路（座標変換手段）１４と、ＴＶ走査へと座標変換された超音波画像と、グラフィック回路１３にて生成されたグラフィック信号との重畳を行う画像重畳回路１５と、デジタル処理された画像信号をアナログ信号へと変換するＤ／Ａ変換器１６ａ，１６ｂ，１６ｃと、ＴＶの同期信号とアナログ画像信号を合成し、ＴＶ信号へと変調する変調回路１７とで構成されている。なお、制御回路１２はスクロール表示手段及びスクロール移動領域制限手段としての機能を備えており、これについては後述する。
【００２２】
また、図２は図１の超音波診断装置１内の座標変換回路１４の具体的な構成を示す図であり、座標変換するために超音波音線データをいったん格納する座標変換用メモリ１８と、この座標変換用メモリ１８の書込みアドレスの発生及び制御を行う座標変換用メモリ書込み制御回路１９と、座標変換テーブルのアドレスを発生するＴＶ走査アドレス発生回路２０と、超音波走査をＴＶ走査へと座標変換するためのデータが格納されている座標変換テーブルデータ格納メモリ２１と、座標変換用メモリ１８から座標変換するために読み出された超音波データと、座標変換テーブルデータ格納メモリ２１から出力された重み付けデータとを演算し、ＴＶ走査の画素に対応する値を算出する演算回路２２とで構成されている。
【００２３】
以下に上記した構成を有する第１実施形態の作用を述べる。
【００２４】
超音波診断、特に体腔内超音波診断を行う際は、まず、超音波探触子２を体腔内に挿入し、音響媒体（水やゼリー）を介して生体へと接触させる。超音波診断装置１の送信回路６は、制御回路１２の制御に基づき超音波駆動パルスを発生して駆動部３へと伝達する。駆動部３は、制御回路１２の制御に基づき超音波探触子２内のフレキシブルシャフトを回転させると共に、超音波探触子２の先端にある超音波振動子へと前記超音波パルスを伝達する。超音波振動子は前記超音波駆動パルスに応じて生体内に超音波を送波すると共に、生体内で反射された超音波エコー信号を受波する。
【００２５】
受波された超音波エコー信号は、駆動部３を介して超音波診断装置１のアナログ信号処理回路７へと伝達される。伝達された超音波エコー信号は、増幅器により増幅され、送受した超音波周波数に応じて切り替えられたＢＰＦを通り、対数圧縮及び検波され、表示レンジに応じたＬＰＦを通る、といった一連のアナログ信号処理が行われた後、Ａ／Ｄ変換器８でデジタル信号へと変換される。
【００２６】
デジタル信号に変換された超音波信号は、超音波音線データ格納メモリ９に記憶される。フリーズが掛かったときに、この超音波音線データ格納メモリ９の書込みをある規定のタイミングにて中止すれば、フリーズ後も後段のポストプロセスが可能となる。
【００２７】
制御回路１２は、超音波音線データ格納メモリ９の読み出し制御信号を出力し、この読み出し制御信号のもとに超音波音線データが読み出される。その時に、制御回路１２は読み出される超音波音線データのタイミングに合わせて、ＳＴＣデータをＳＴＣ調整用メモリ１０へ出力する。
【００２８】
ＳＴＣ調整用メモリ１０の上位アドレスに前記ＳＴＣデータが入力され、下位アドレスには、超音波音線データ格納メモリ９から読みだされた超音波音線データが入力される。ＳＴＣ調整用メモリ１０には、アドレスとして入力されるＳＴＣデータと超音波データに対応したテーブルデータを格納しておき、アドレスとして入力されたデータに基づいてＳＴＣ調整されたデータが出力される。
【００２９】
ＳＴＣ調整されたデータは、前記と同様にゲイン・コントラスト調整用メモリ１１の下位アドレスに入力され、上位アドレスに入力される制御回路１２からのゲイン・コントラストデータに対応したデータ、つまりゲイン、コントラストが調整されたデータが出力される。ゲイン・コントラストデータは、操作卓上のゲインやコントラスト等の画質調整キーが押されたことを制御回路１２が認識し、対応するデータをＳＴＣ調整用メモリ１０に出力する。
【００３０】
ＳＴＣ調整用メモリ１０やゲイン・コントラスト調整用メモリ１１は、ＲＯＭを使用して予め対応するテーブルデータを格納しておいても良いし、ＲＡＭを使用し、電源投入時に書込んだり、操作卓上の操作キーが押され、変化が生じた時に書込むようにしても良い。
【００３１】
超音波信号は、ラジアル走査やコンベックス走査等の場合は、超音波振動子からの送波方向とＴＶ走査の方向が一致しないため、座標変換回路１４にて直交座標へと変換する。
【００３２】
グラフィック回路１３は、制御回路１２の制御に基づき患者ＩＤや患者名、日付、病院名等の文字や、計測時の線や円、任意曲線等の図形のグラフィック信号の生成及び表示制御を行う。
【００３３】
画像重畳回路１５は、座標変換回路１４からの超音波画像信号と、グラフィック回路１３からのグラフィック信号とを重畳してデジタルＲＧＢ信号として出力する。このデジタルＲＧＢ信号はデジタルであるため、Ｄ／Ａ変換器１６ａ，１６ｂ，１６ｃにてアナログ信号に変換する。このアナログ信号はＴＶ同期信号と共に、公知のＮＴＳＣ／ＰＡＬエンコーダ等で構成されている変調回路１７にて複合映像信号やＹ／Ｃ信号、ＲＧＢ信号等のＴＶ信号へと変調される。
【００３４】
次に図２を参照して座標変換について具体的に説明する。ＳＴＣ調整、及びゲイン・コントラストが調整された超音波データは、座標変換するために座標変換用メモリ１８に一旦格納される。制御回路１２は、座標交換用メモリ１８の書込み開始信号を座標変換用メモリ書込み制御回路１９へ出力する。座標変換用メモリ書込み制御回路１９は、開始信号を受けて規定数の超音波データの書込み等の制御を行う。座標変換テーブルデータ格納メモリ２１からは、座標変換用メモリ１８の読み出しアドレスと、重み付けデータが出力される。演算回路２２は、座標変換用メモリ１８から読み出された超音波データと、重み付けデータとを合成演算し、ＴＶ画素に対応した補間値を算出する。
【００３５】
以下に本実施形態に係る座標変換テーブルについて図３〜図６を用いて説明する。図３及び図４は座標変換テーブルと画面表示領域の関係を示す図であり、図５及び図６は制限されたスクロール移動領域を説明する図である。
【００３６】
座標変換テーブルは、座標（０，０）に対応する０番地アドレスから、座標（１０２３，１０２３）に対応する（１０２４×１０２４−１）番地アドレスまでの２０ビットのアドレス領域を持つとする。座標（ＸＨ，ＸＶ）に対応する（ＸＨ＋１０２４×ＸＶ）番地アドレスを、座標変換テーブルデータ格納メモリ２１に入力した場合、そのＴＶ画素の値を算出するために必要な超音波データアドレス、つまり座標変換用メモリ１８の読み出しアドレスと、重み付けデータとが出力される。この場合、２０ビットをアドレス領域とし、座標ＸＨを下位１０ビットアドレス、座標ＸＶを上位１０ビットアドレスとすれば制御し易い。
【００３７】
座標変換のアルゴリズムは、例えば特開平１−６４６３５号公報に記載されている４点補間方法が一般的である。
【００３８】
従って、４点補間で画像データを算出する場合、座標変換用メモリ１８は、４つのメモリで構成し、座標変換テーブルデータ格納メモリ２１は４点補間に必要な４つの座標変換用メモリ１８のアドレスを発生する。それと共に、それぞれの重み付けデータも出力する。
【００３９】
演算回路２２は、読み出された４つの超音波データと、それぞれの重み付けデータとを合成演算し、補間したＴＶ画素値を算出する。
【００４０】
制御回路１２は、ＴＶ走査開始信号、及び全円表示や上下左右半円表示等の表示モードに応じた座標変換テーブルデータの基準座標アドレスをＴＶ走査アドレス発生回路２０に出力する。
【００４１】
モニタに表示する超音波画像サイズをＨＮ×ＶＮとすると、実際に表示される超音波画像の座標範囲は、（ＸＨ，ＸＶ）と（ＸＨ＋ＨＮ−１，ＸＶ＋ＶＮ−１）で囲まれる範囲となる。
【００４２】
ＴＶ走査アドレス発生回路２０は、前記座標変換テーブルデータのアドレス設定値（ＸＨ，ＸＶ）を基準座標とし、ＴＶ走査方向である水平方向へ順次カウントアップしながらアドレスとして出力し、座標（ＸＨ＋ＨＮ−１，ＸＶ）までアドレスとして出力する。（ＸＨ＋ＨＮ−１，ＸＶ）の次は（ＸＨ，ＸＶ＋１）に対応するアドレスを出力していき、最終的には（ＸＨ＋ＨＮ−１，ＸＶ＋ＶＮ−１）に対応するアドレスを出力する。
【００４３】
つまり、スクロール時や様々な表示モード時に、制御回路１２がＴＶ走査アドレス発生回路２０に与える基準座標アドレスを変化させることにより、座標変換テーブル内の任意の位置の画像を表示することができる。このようにして術者は任意の位置の画像を表示することが可能となる。
【００４４】
しかし、座標変換テーブルが広く、図４に示すように斜線部分を表示した場合、超音波信号が生体深部ほど減衰するため、どこを表示しているか分からなくなってしまう。このような場合には図５に示すように、必ずラジアル走査の中心（ＸＨcenter，ＸＶcenter）を表示するように表示可能領域（スクロール移動可能領域）を制限する。もしくは、ラジアル走査の中心付近を表示する領域を表示可能領域としても良い。また、消化器分野では上下半円表示及び全円表示を頻繁に使用するため、図６に示すような上半円表示と下半円表示を合わせた領域のみをスクロール移動可能領域としても良い。
【００４５】
図７は、トラックボールや矢印キーによってスクロールしたときに、スクロール移動領域の制限を行うソフトウェア制御を表したフローチャートを示す。
【００４６】
まず、スクロールモードか否かを判別し（ステップＳ１）、スクロールモードの場合は次のフローに進み、スクロールモードでない場合は、処理を終了する。
【００４７】
スクロールモードの場合、トラックボールの回転量や方向及び矢印キーの押された回数や方向等を認識し、スクロールの移動方向と移動量へと変換する（ステップＳ２）。ここではＨ方向の移動量をｉとし、Ｖ方向の移動量をｊとし、直交した移動量へと変換する。
【００４８】
次に、座標変換テーブルの座標である（ＸＨ，ＸＶ）に、スクロールの移動量（ｉ，ｊ）を加算する（ステップＳ３）。
【００４９】
そして、このスクロール移動が制限領域内であるか否かを判別する必要があるため、次の処理を行う。まず、表示される画像の右下の座標（ＸＨ＋ＨＮ−１，ＸＶ＋ＶＮ−１）が座標（ＸＨmax ，ＸＶmax ）の範囲か否かを判別する（ステップＳ４，Ｓ６）。もし、座標（ＸＨmax ，ＸＶmax ）を超えて表示しようとした場合は、強制的に（ＸＨmax ，ＸＶmax ）内になるように制限する（ステップＳ５，Ｓ７）。
【００５０】
次に、座標（ＸＨ，ＸＶ）が座標（ＸＨmin ，ＸＶmin ）の範囲を超えているか否かを判断する（ステップＳ８，Ｓ１０）。ここで、（ＸＨ，ＸＶ）が（ＸＨmin ，ＸＶmin ）よりも小さい時は、強制的にＸＨをＸＨmin に（ステップＳ９）、また、ＸＶをＸＶmin に設定する（ステップＳ１１）。
【００５１】
以上の処理をスクロールモードの間（ステップＳ１２の判断がＹＥＳとなるまで）繰り返すことにより表示可能領域内を任意に表示することが可能となる。
【００５２】
また、座標（ＸＨmin ，ＸＶmin ）と座標（ＸＨmax ，ＸＶmax ）の値を変更すれば、表示可能制限領域を簡単に変更することができるので、予め１つ以上のスクロール移動可能領域を記憶させるか、あるいは術者が１つ以上のスクロール移動可能領域を設定することができる。さらに、このようにして設定された複数のスクロール移動可能領域から、術者がメニューや操作卓上のキー等で構成されるスクロール移動領域選択手段により選択あるいは変更できるようにすることで、術者の好みに応じた、また症例中の適用に応じたスクロール移動可能領域を得ることができる。
【００５３】
なお、上記の実施形態では２次元の超音波画像についての例を述べたが、３次元画像を提供する超音波診断装置も同様に提供することができる。
【００５４】
上記した第１実施形態によれば、術者の見たい部位を簡単に表示し、必ずラジアル走査の中心もしくは中心付近が表示されていることから、自分がどこを表示しているのか、わからなくなるという煩わしさを軽減することができ、使い勝手の良い超音波診断装置を提供することができる。また、術者の好みに応じてスクロール移動領域（制限領域）を設定することができるため、操作性を向上させた超音波診断装置を提供することができる。
【００５５】
さらに、全体画像を表示することなしに自分がどこを表示しているかを認識することができるため、超音波画像を最大限大きく表示することができる。これにより診断の効率向上や術者の負担軽減といった効果が得られる。
【００５６】
（第２実施形態）
図８は本発明の第２実施形態において、超音波診断装置の表示画面上にラジアル走査の中心方向を示す記号を表示した図であり、超音波診断装置の一般的な表示に加えて、自分がどこを表示しているのかを術者が認識し易くするために、右上にラジアル走査の中心方向を示す方向表示手段としての矢印記号１００が表示されている。
【００５７】
以下に上記した構成の具体的な作用を述べる。表示された画像の中心部、つまり中心座標（ＸＨ＋（ＨＮ／２），ＸＶ＋（ＶＮ／２））と、座標変換テーブルの中心座標、つまり本実施形態ではラジアル回転中心である（ＸＨcenter，ＸＶcenter）との角度と距離（大きさ）を算出する。
【００５８】
つまり、角度Θは以下に示す式（１）〜（５）により、距離Ｚは式（６）により算出することができる。
【００５９】
θ＝tan-1{(XV＋VN／2−XVcenter)／(XH＋HN／2−XHcenter)}          …（１）
（−９０°＜θ＜９０°）
但し、
(XH＋HN／2−XHcenter)＞０かつ(XV＋VN／2−XVcenter)＞０の時
Θ＝０                                                      …（２）
(XH＋HN／2−XHcenter)＜０かつ(XV＋VN／2−XVcenter)＞０の時
Θ＝１８０＋θ                                              …（３）
(XH＋HN／2−XHcenter)＜０かつ(XV＋VN／2−XVcenter)＜０の時
Θ＝１８０＋θ                                              …（４）
(XH＋HN／2−XHcenter)＞０かつ(XV＋VN／2−XVcenter)＜０の時
Θ＝３６０＋θ                                              …（５）
Ｚ＝√{(XH＋HN／2−XHcenter)2 ＋(XV＋VN／2−XVcenter)2 }        …（６）
ラジアル走査の回転中心の方向を示す記号、例えば矢印を表示するには、中心までの距離Ｚの大きさに応じて矢印の長さを変え、また、角度Θに応じて矢印の傾きを変えて表示する。
【００６０】
図１に示す超音波診断装置１の制御回路１２内に、上記角度Θ、及び大きさの異なる矢印の記号データを予め記憶しておき、上記角度ΘとＺの値に応じて選択して読み出し、グラフィック回路１３に書込む。
【００６１】
グラフィック回路１３は、前記ラジアル回路中心を示す記号、そしてその他の文字やスケールマーク等のグラフィックデータをＴＶの同期信号に基づいて画像重畳回路１５に出力し、超音波データとの重畳を行う。
【００６２】
前記ラジアル走査の回路中心方向を示す記号の表示は、術者によっては紛らわしいこともあるため、例えばメニューや操作卓上のキー等により構成される方向表示選択手段により、術者が表示をＯＮ／ＯＦＦできるようにしても良い。以後の流れは第１実施形態と同一である。
【００６３】
本実施形態では、表示された画像の中心部を基準としたが、中心に限定したものではない。最近の３次元表面構築超音波画像を提供する超音波診断装置のように、３次元位置を示す複数の角度と大きさを算出し、それらから図９（Ａ）、（Ｂ）に示すように、３次元空間の基準（中心）方向を認識可能な記号を表示するようにしても良い。
【００６４】
上記した第２実施形態によれば、ラジアル走査の回転中心が記号として表示されるために、自分がどこを表示しているのかがわからなくなるという煩わしさを軽減することができると共に、第１実施形態のように領域を制限することなしに、表示部位を認識することが可能となるため、更に使い勝手の良い超音波診断装置を提供することができる。
【図面の簡単な説明】
【００６５】
【図１】本発明の第１実施形態に係る超音波診断装置の概略構成図である。
【図２】図１の超音波診断装置１内の座標変換回路１４の具体的な構成を示す図である。
【図３】本発明の第１実施形態の座標変換テーブルと画面表示領域の関係を示す図である。
【図４】本発明の第１実施形態の座標変換テーブルと画面表示領域の関係を示す図である。
【図５】本発明の第１実施形態のスクロール移動領域を説明するための図である。
【図６】本発明の第１実施形態のスクロール移動領域を説明するための図である。
【図７】本発明の第１実施形態のスクロール移動制限領域に関するソフトウェア制御を示すフローチャートである。
【図８】本発明の第２実施形態に係る超音波診断装置の表示画像上に、ラジアル走査の中心方向を示す記号を表示した画面を示す図である。
【図９】本発明の第２実施形態に係る３次元超音波診断装置の表示画像上に、３次元空間の基準方向を示す記号を表示した図である。
【符号の説明】
【００６６】
１…超音波診断装置、２…超音波探触子、３…駆動部、４…操作卓、５…フットスイッチ、６…送信回路、７…アナログ信号処理回路、８…Ａ／Ｄ変換器、９…超音波音線データ格納メモリ、１０…ＳＴＣ調整用メモリ、１１…ゲイン・コントラスト調整用メモリ、１２…制御回路、１３…グラフィック回路、１４…座標変換回路、１５…画像重畳回路、１６ａ，１６ｂ，１６ｃ…Ｄ／Ａ変換器、１７…変調回路、１８…座標変換用メモリ、１９…座標変換用メモリ書込み制御回路、２０…ＴＶ走査アドレス発生回路、２１…座標変換テーブルデータ格納メモリ、２２…演算回路。
【図１】
2004148130.tif 000003
【図２】
2004148130.tif 000004
【図３】
2004148130.tif 000005
【図４】
2004148130.tif 000006
【図５】
2004148130.tif 000007
【図６】
2004148130.tif 000008
【図７】
2004148130.tif 000009
【図８】
2004148130.tif 000010
【図９】
2004148130.tif 000011